(57)【要約】    【課題】  安価で小型化が可能な撮像装置を提供する。    【解決手段】  第一のレンズ群と第二のレンズ群とが撮影許可領域中の所定の範囲で、相対的にレンズ群間隔を変えるものにおいて、第一のレンズ群と第二のレンズ群とを弾性部材１５０，２５０の付勢力によりレンズ群間隔を決定する。第一のレンズ群がカム溝１４１と、該カム溝に係合するカムピン１２１とにより駆動され且つ第二のレンズ群は該弾性部材の付勢力により第一のレンズ群と共に移動する第一の領域と、第一のレンズ群と第二のレンズ群とが互いに独立してカム溝１４２と、該カム溝に係合するカムピン１３１とにより駆動される第二の領域とを設ける。第一の領域のレンズ群間隔は、第一のレンズ群と第二のレンズ群との間隔が最小または最大になるレンズ群間隔であり、弾性部材の付勢力は第一のレンズ群と第二のレンズ群とを近づける方向または遠ざける方向に作用する。【選択図】        図２
2006078563.tif 000002
【特許請求の範囲】
【請求項１】
光軸方向に移動可能な第一のレンズ群と第二のレンズ群とを有し、該第一のレンズ群と第二のレンズ群が撮影許可領域中の所定の範囲で相対的にレンズ群間隔を変える撮像装置において、
前記第一のレンズ群及び前記第二のレンズ群を駆動するための駆動手段を備えると共に、前記第一のレンズ群と前記第二のレンズ群のレンズ群間隔を弾性部材の付勢力を用いて決定可能に構成し、
前記第一のレンズ群が前記駆動手段により駆動され且つ第二のレンズ群が前記弾性部材の付勢力により該第一のレンズ群と共に移動する第一の領域と、前記第一のレンズ群と前記第二のレンズ群とが互いに独立して前記駆動手段により駆動される第二の領域とを設けたことを特徴とする撮像装置。
【請求項２】
前記第一の領域のレンズ群間隔は、前記第一のレンズ群と前記第二のレンズ群との間隔が最小になるレンズ群間隔であり、前記弾性部材の付勢力は、前記第一のレンズ群と前記第二のレンズ群とを近づける方向に作用して、前記第一のレンズ群と第二のレンズ群とがレンズ、或いは各々のレンズ群を保持するレンズ保持部の少なくとも一点で当接することを特徴とする請求項１に記載の撮像装置。
【請求項３】
前記第一の領域のレンズ群間隔は、第一のレンズ群と第二のレンズ群との間隔が最大になるレンズ群間隔であり、前記弾性部材の付勢力は、前記第一のレンズ群と前記第二のレンズ群とを遠ざける方向に作用して、前記第一のレンズ群と前記第二のレンズ群とが各々のレンズ群を保持するレンズ保持部の少なくとも一点で当接することを特徴とする請求項１に記載の撮像装置。
【請求項４】
前記第一の領域は、前記第二の領域よりもレンズ群位置が結像面位置に与える影響が大きいことを特徴とする請求項１に記載の撮像装置。
【請求項５】
前記第一の領域と前記第二の領域とを切り替える領域は、撮影を許可しないことを特徴とする請求項１に記載の撮像装置。
【請求項６】
光軸方向に移動可能な第一のレンズ群と第二のレンズ群とを有し、該第一のレンズ群と第二のレンズ群が撮影許可領域中の所定の範囲で相対的にレンズ群間隔を変える撮像装置において、
前記第一のレンズ群を駆動するための第一の駆動手段を備えると共に、前記第一のレンズ群と前記第二のレンズ群のレンズ群間隔を、付勢方向を切り替え可能な弾性部材の付勢力を用いて決定可能に構成し、
前記第一のレンズ群は駆動手段により駆動され、前記第二のレンズ群は、前記弾性部材の付勢力により前記第一のレンズ群と共に移動し、前記第一のレンズ群と前記第二のレンズ群とのレンズ群間隔が所定の値に達したときに前記弾性部材の付勢力方向の逆転によって前記レンズ群間隔を変化させることを特徴とする撮像装置。
【請求項７】
前記駆動手段は、カム溝と、該カム溝に係合するカムピンとを備えたことを特徴とする請求項１乃至６のいずれかに記載の撮像装置。
【請求項８】
前記付勢方向切り替え可能な弾性部材とは、トグルバネであることを特徴とする請求項６または７に記載の撮像装置。
【請求項９】
前記弾性部材の付勢方向を切り替える所定の領域では、撮影を許可しないことを特徴とする請求項６乃至８のいずれかに記載の撮像装置。
【請求項１０】
第一のレンズ群と第二のレンズ群とが撮影許可領域中の所定の範囲で相対的にレンズ群間隔を変える撮像装置のレンズ群駆動方法において、
前記第一のレンズ群が駆動手段により駆動され且つ第二のレンズ群が弾性部材の付勢力により前記第一のレンズ群と一定のレンズ間隔を保持して移動する第一の領域と、前記第一のレンズ群と前記第二のレンズ群とが互いに独立して駆動手段により駆動されてレンズ群間を変える第二の領域とを設けておき、
前記第一のレンズ群及び前記第二のレンズ群が、前記第一の領域と前記第二の領域との間を切り替え領域を経由して光軸方向に移動することを特徴とする撮像装置のレンズ群駆動方法。
【請求項１１】
第一のレンズ群と第二のレンズ群とが撮影許可領域中の所定の範囲で相対的にレンズ群間隔を変える撮像装置のレンズ群駆動方法において、
前記第一のレンズ群を駆動手段により駆動し、前記第二のレンズ群は、付勢方向を切り替え可能な弾性部材の付勢力により前記第一のレンズ群と一定のレンズ間隔を保持して光軸方向に移動し、
前記第一のレンズ群と前記第二のレンズ群とのレンズ群間隔が所定の値に達したときに、前記弾性部材の付勢力方向の逆転によって前記レンズ群間隔を変化させることを特徴とする撮像装置のレンズ群駆動方法。
【発明の詳細な説明】
【技術分野】
【０００１】
本発明は、光軸方向に移動可能な複数のレンズ群を有する撮像装置及びそのレンズ群駆動方法に関する。
【背景技術】
【０００２】
光軸方向に移動可能な複数のレンズ群を有し、そのうちの第一のレンズ群と第二のレンズ群が撮影許可領域中の所定の範囲で相対的にレンズ群間隔を変える撮像装置は、既に知られている。
【０００３】
また、高倍率のコンパクトカメラを小型化するために、複数のレンズ群を備える光学系において、少なくとも一つの変倍レンズ群がサブ群を有し、他方のサブ群との間隔を切り替えるフォーカスモータを備えた撮影装置が提案されている（例えば、特許文献１を参照）。
【特許文献１】特開２００２−１６９０８１号公報
【発明の開示】
【発明が解決しようとする課題】
【０００４】
しかしながら、上記特許文献１の構成では、小型化するためにレンズ群間隔変更専用のモータが必要となり、コストアップする、という問題がある。さらに、モータを配置させる空間が必要となり、更なる小型化が困難となる問題もあった。
【０００５】
本発明は上記従来の問題点に鑑み、安価で小型化が可能な撮像装置及びそのレンズ群駆動方法を提供することを目的とする。
【課題を解決するための手段】
【０００６】
本発明は上記目的を達成するため、光軸方向に移動可能な第一のレンズ群と第二のレンズ群とを有し、該第一のレンズ群と第二のレンズ群が撮影許可領域中の所定の範囲で相対的にレンズ群間隔を変える撮像装置において、前記第一のレンズ群及び前記第二のレンズ群を駆動するための駆動手段を備えると共に、前記第一のレンズ群と前記第二のレンズ群のレンズ群間隔を弾性部材の付勢力を用いて決定可能に構成し、前記第一のレンズ群が前記駆動手段により駆動され且つ第二のレンズ群が前記弾性部材の付勢力により該第一のレンズ群と共に移動する第一の領域と、前記第一のレンズ群と前記第二のレンズ群とが互いに独立して前記駆動手段により駆動される第二の領域とを設けたことを特徴とする。
【０００７】
また、本発明は、光軸方向に移動可能な第一のレンズ群と第二のレンズ群とを有し、該第一のレンズ群と第二のレンズ群が撮影許可領域中の所定の範囲で相対的にレンズ群間隔を変える撮像装置において、前記第一のレンズ群を駆動するための第一の駆動手段を備えると共に、前記第一のレンズ群と前記第二のレンズ群のレンズ群間隔を、付勢方向を切り替え可能な弾性部材の付勢力を用いて決定可能に構成し、前記第一のレンズ群は駆動手段により駆動され、前記第二のレンズ群は、前記弾性部材の付勢力により前記第一のレンズ群と共に移動し、前記第一のレンズ群と前記第二のレンズ群とのレンズ群間隔が所定の値に達したときに前記弾性部材の付勢力方向の逆転によって前記レンズ群間隔を変化させることを特徴とする。
【０００８】
また、本発明は、第一のレンズ群と第二のレンズ群とが撮影許可領域中の所定の範囲で相対的にレンズ群間隔を変える撮像装置のレンズ群駆動方法において、前記第一のレンズ群が駆動手段により駆動され且つ第二のレンズ群が弾性部材の付勢力により前記第一のレンズ群と一定のレンズ間隔を保持して移動する第一の領域と、前記第一のレンズ群と前記第二のレンズ群とが互いに独立して駆動手段により駆動されてレンズ群間を変える第二の領域とを設けておき、前記第一のレンズ群及び前記第二のレンズ群が、前記第一の領域と前記第二の領域との間を切り替え領域を経由して光軸方向に移動することを特徴とする。
【０００９】
また、本発明は、第一のレンズ群と第二のレンズ群とが撮影許可領域中の所定の範囲で相対的にレンズ群間隔を変える撮像装置のレンズ群駆動方法において、前記第一のレンズ群を駆動手段により駆動し、前記第二のレンズ群は、付勢方向を切り替え可能な弾性部材の付勢力により前記第一のレンズ群と一定のレンズ間隔を保持して光軸方向に移動し、前記第一のレンズ群と前記第二のレンズ群とのレンズ群間隔が所定の値に達したときに、前記弾性部材の付勢力方向の逆転によって前記レンズ群間隔を変化させることを特徴とする。
【発明の効果】
【００１０】
本発明によれば、安価で小型化が可能な撮影装置を実現することができる。
【発明を実施するための最良の形態】
【００１１】
本発明の撮像装置及びそのレンズ群駆動方法の実施の形態について、図面を参照しながら説明する。
【００１２】
［第一の実施の形態］
＜撮像装置の全体構造＞
図１（ａ），（ｂ）は、本発明の第一の実施の形態に係る撮像装置の要部構造を示す斜視図であり、同図（ａ）は第一の鏡筒、同図（ｂ）は第二の鏡筒を示している。図２は、図１に示した第一のレンズホルダ１２０と第二のレンズホルダ１３０との関係を示す分解斜視図である。
【００１３】
この撮像装置は、第一の鏡筒１１０と第二の鏡筒１４０を備えている。図１（ａ）に示すように、第一の鏡筒１１０は、第一のレンズ群（図示省略）を保持する第一のレンズホルダ１２０と、第二のレンズ群（図示省略）を保持する第二のレンズホルダ１３０とを内包している。
【００１４】
第一のレンズホルダ１２０及び第二のレンズホルダ１３０の中央部には、図２に示すように、それぞれ第一のレンズ群及び第二のレンズ群を装着固定するための円形のレンズ装着用開口部１２０ａ，１３０ａが形成されている。さらに、第一のレンズホルダ１２０と第二のレンズホルダ１３０の円周面には、それぞれ第一のカムピン１２１と第二のカムピン１３１が複数個突設されると共に、第一のレンズホルダ１２０と第二のレンズホルダ１３０の対向面にはそれぞれ、最小レンズ間隔を決定するための突き当て部１２２、１３２が互いに当接可能に突設されている。そして、第一のレンズホルダ１２０と第二のレンズホルダ１３０との間には、これらを互いの間隔を縮める方向に作用するバネ等の弾性部材１５０が取り付けられ、引き合う方向に常に付勢されている。ここで、第一のレンズ群と第一のレンズホルダ１２０とを合わせた重量は、第二のレンズ群と第二のレンズホルダ１３０とを合わせた重量よりも重いものとする。
【００１５】
また、第一の鏡筒１１０は、不図示の鏡筒と係合するヘリコイド１１１を備えて光軸方向に駆動可能であり、さらに、第一の鏡筒１１０の外側には、第二の鏡筒１４０が配置されている。第二の鏡筒１４０の内壁には、図１（ｂ）に示すように、第一のレンズホルダ１２０に設けられた第一のカムピン１２１に係合する第一のカム溝１４１と、第二のレンズホルダ１３０に設けられた第二のカムピン１３１に係合する第二のカム溝１４２とが形成されている。
【００１６】
第一の鏡筒１１０と第二の鏡筒１４０は、第一の鏡筒１１０に設けられた突起１１２と第二の鏡筒１４０に設けられた不図示の溝との係合により、相対回転可能な状態で光軸方向の移動が拘束される。また、第一のレンズホルダ１２０と第二のレンズホルダ１３０は、第一のカムピン１２１及び第二のカムピン１３１により、第一の鏡筒１１０に設けられた直線溝１１３と係合しているため第一の鏡筒１１０とは相対回転不能な状態であり、第一の鏡筒１１０と第二の鏡筒１４０との相対回転により光軸方向に駆動可能になっている。
【００１７】
図３は、第二の鏡筒１４０内壁に設けられたカム溝１４１，１４２の展開図である。
【００１８】
同図に示すように、第一のカムピン１２１と第一のカム溝１４１とは常に係合している。第二のカム溝１４２は、第二のカムピン１３１と係合しない領域Ｓ１１と、第二のカムピン１３１と係合する領域Ｓ１２と、第二のカムピン１３１との係合が開始されて領域Ｓ１１と領域Ｓ１２との切り替えを行う領域Ｓ１３とから構成されている。この３つの領域が滑らかに連続するように、第二のカム溝１４２は第二の鏡筒１４０の内壁に形成されている。
【００１９】
ここで、領域Ｓ１２における光学敏感度は領域Ｓ１１での光学敏感度よりも低い。つまり領域Ｓ１２は領域Ｓ１１よりもレンズ群位置が結像面位置に与える影響が小さい領域である。また、領域Ｓ１３は撮影を許可しない領域である。
【００２０】
次に、領域Ｓ１１→Ｓ１３→Ｓ１２というように第二のカムピン１３１が移動する際の動作について、図４を参照して説明する。図４は、図１に示した第一のレンズホルダ１２０と第二のレンズホルダ１３０との関係を示す側面図である。
【００２１】
まず、領域Ｓ１１では、第二のカム溝１４２は第二のカムピン１３１よりも幅が広く設定されており、第二のカムピン１３１と第二のカム溝１４２とは係合していない状態にある。これによって、この領域Ｓ１１では、第一のカムピン１２１と第一のカム溝１４１との係合関係により第一のレンズホルダ１２０のみが駆動可能であり、第二のレンズホルダ１３０は第一のレンズホルダ１２０と一体となって光軸方向に移動可能になる。このとき、第一のレンズホルダ１２０と第二のレンズホルダ１３０とは、図４に示すように、突き当て部１２２と１３２が弾性部材１５０により当接した状態で保持される結果、最小レンズ間隔が維持される。
【００２２】
続く領域Ｓ１３では、第二のカム溝１４２の溝幅が狭くなり、第二のカムピン１３１と第二のカム溝１４２とは係合を開始し、第一のレンズ群と第二のレンズ群の間隔が弾性部材１５０に抗して広げられる。
【００２３】
その後の領域Ｓ１２では、第一のカムピン１２１と第一のカム溝１４１、第二のカムピン１３１と第二のカム溝１４２がそれぞれ係合している結果、第一のレンズ群と第二のレンズ群とを互いに独立して駆動することができる。
【００２４】
このように本実施の形態では、第一のレンズ群と第二のレンズ群が弾性部材１５０のバネ付勢力により一体で駆動される領域Ｓ１１は、カム溝（第二のカム溝１４２）の溝幅を単に広げておけばよい領域として設定することが可能になる。これにより、カム溝の精度が必要な領域を減らすことが可能となり、型作製の費用を安くすることができる。さらに、レンズ群間隔変更専用のモータが不要となるため、更なる低コスト化と小型化を実現することができる。
【００２５】
なお、上記実施の形態では、レンズホルダ１２０と１３０は、最小レンズ間隔を決定するために、突き当て部１２２、１３２で当接できるように構成したが、これら突き当て部１２２、１３２を設けずに、レンズ自体が当接できるように構成することで、最小レンズ間隔を決定するようにしてもよい。
【００２６】
［第二の実施の形態］
図５（ａ），（ｂ）は、本発明の第二の実施の形態に係る撮像装置の要部構造を示す斜視図であり、同図（ａ）は第一の鏡筒、同図（ｂ）は第二の鏡筒を示している。また、図６は、図５中の第一のレンズホルダ２２０と第二のレンズホルダ２３０との関係を示す分解斜視図である。これらの図において、図１（ａ），（ｂ）及び図２と共通の要素には同一の符号を付し、その説明を省略する。
【００２７】
上記第一の実施の形態の構成では、第一のレンズホルダ１２０と第二のレンズホルダ１３０とは、互いの間隔を縮める方向に作用する弾性部材１５０が取り付けられ、引き合う方向に常に付勢されていたが、本実施の形態では、この構成とは逆に、第一のレンズホルダ１２０と第二のレンズホルダ１３０とは、互いの間隔を広げる方向に作用する弾性部材２５０が取り付けられ、離れる方向に常に付勢されている点に特徴がある。このような構成に伴い、第一のレンズホルダ１２０と第二のレンズホルダ１３０の対向面にはそれぞれ、最大レンズ間隔を決定するための引っ掛け部２２２、２３２が設けられている。
【００２８】
図７は、第二の実施の形態に係る第二の鏡筒１４０の内壁に設けられたカム溝２４１，２４２の展開図である。
【００２９】
同図に示すように、第一のカムピン１２１と第一のカム溝２４１とは常に係合している。第二のカム溝２４２は、第二のカムピン１３１と係合しない領域Ｓ２１と、第二のカムピン１３１と係合する領域Ｓ２２と、第二のカムピン１３１との係合が開始されて領域Ｓ１１と領域Ｓ１２との切り替えを行う領域Ｓ２３とから構成されている。この３つの領域が滑らかに連続するように、第二のカム溝２４２は第二の鏡筒１４０の内壁に形成されている。
【００３０】
ここで、領域Ｓ２２における光学敏感度は領域Ｓ２１での光学敏感度よりも低い。つまり領域Ｓ２２は領域Ｓ２１よりもレンズ群位置が結像面位置に与える影響が小さい領域である。また、領域Ｓ２３は撮影を許可しない領域である。
【００３１】
次に、領域Ｓ２１→Ｓ２３→Ｓ２２というように第二のカムピン１３１が移動する際の第二の実施の形態に係る動作について、図８を参照して説明する。図８は、第二の実施の形態に係る第一のレンズホルダ１２０と第二のレンズホルダ１３０との関係を示す側面図である。
【００３２】
まず領域Ｓ２１では、第二のカム溝１４２は第二のカムピン１３１よりも幅が広く設定されており、第二のカムピン１３１と第二のカム溝１４２とは係合していない状態にある。これによって、この領域Ｓ２１では、第一のカムピン１２１と第一のカム溝１４１との係合関係により第一のレンズホルダ１２０のみが駆動可能であり、第二のレンズホルダ１３０は第一のレンズホルダ１２０と一体となって光軸方向に移動可能になる。このとき、第一のレンズホルダ１２０と第二のレンズホルダ１３０とは、図８に示すように、引っ掛け部２２２と２３２が弾性部材２５０により当接した状態で保持される結果、最大レンズ間隔が維持される。
【００３３】
続く領域Ｓ２３では、第二のカム溝２４２の溝幅が狭くなり、第二のカムピン１３１と第二のカム溝２４２とは係合を開始し、第一のレンズ群と第二のレンズ群の間隔が弾性部材２５０に抗して狭められる。
【００３４】
その後の領域Ｓ２２では、第一のカムピン１２１と第一のカム溝２４１、第二のカムピン１３１と第二のカム溝２４２とがそれぞれ係合し、第一のレンズ群と第二のレンズ群とが独立に駆動される。
【００３５】
このように本実施の形態では、第一のレンズ群と第二のレンズ群が弾性部材２５０のバネ付勢力により一体で駆動される領域Ｓ２１は、カム溝（第二のカム溝２４２）の溝幅を単に広げておけばよい領域として設定することが可能になる。これにより、カム溝の精度が必要な領域を減らすことが可能となり、型作製の費用を安くすることができる。さらに、レンズ群間隔変更専用のモータが不要となるため、更なる低コスト化と小型化を実現することができる。
【００３６】
［第三の実施の形態］
図９（ａ），（ｂ）は、本発明の第三の実施の形態に係る撮像装置の要部構造を示す斜視図であり、同図（ａ）は第一の鏡筒、同図（ｂ）は第二の鏡筒を示している。また、図１０は、図９中の第一のレンズホルダ１２０と第二のレンズホルダ１３０との関係を示す分解斜視図である。これらの図において、図１（ａ），（ｂ）及び図２と共通の要素には同一の符号を付し、その説明を省略する。
【００３７】
本実施の形態では、第一のレンズホルダ１２０と第二のレンズホルダ１３０とは互いの間隔を縮める方向或いは広げる方向に作用する所謂トグルバネである弾性部材３５０が取り付けられ、引き合う方向或いは広げる方向どちらかに常に付勢されている点に特徴がある。このような構成に伴い、第一のレンズホルダ１２０と第二のレンズホルダ１３０の対向面にはそれぞれ、最小レンズ間隔を決定するための突き当て部３２２、３３２と、最大レンズ間隔を決定するための引っ掛け部３２３、３３３が設けられている。
【００３８】
図１１は、第三の実施の形態に係る第二の鏡筒３４０内壁に設けられたカム溝３４１，３４２の展開図である。
【００３９】
同図に示すように、第一のカムピン１２１と第一のカム溝３４１とは常に係合している。第二のカム溝３４２は、第二のカムピン１３１とは係合しない領域Ｓ３１及び領域Ｓ３２と、第二のカムピン１３１との係合が開始されて領域Ｓ３１と領域Ｓ３２との切り替えを行う領域Ｓ３３とから構成されている。この３つの領域が滑らかに連続するように、第二のカム溝３４２は第二の鏡筒１４０の内壁に形成されている。
【００４０】
次に、領域Ｓ３１→Ｓ３３→Ｓ３２と第二のカムピン１３１が移動する際の動作について、図１２及び図１３を参照して説明する。図１２は、第三の実施の形態に係る最小レンズ間隔時における第一のレンズホルダ１２０と第二のレンズホルダ１３０との関係を示す側面図であり、図１３は、最大レンズ間隔時における第一のレンズホルダ１２０と第二のレンズホルダ１３０との関係を示す側面図である。
【００４１】
まず領域Ｓ３１では、第二のカム溝３４２は第二のカムピン１３１よりも幅が広く設定されているので、第二のカムピン１３１と第二のカム溝１４２とは係合していない状態にある。これによって、第一のカムピン３２１と第一のカム溝３４１との係合関係により第一のレンズホルダ１２０のみが駆動可能であり、第二のレンズホルダ１３０は第一のレンズホルダ１２０と一体となって光軸方向に移動可能になる。このとき、弾性部材３５０は、第一のレンズ群と第二のレンズ群とを引き寄せる方向に作用しているため、第一のレンズホルダ１２０と第二のレンズホルダ１３０とは、図１２に示されるように、突き当て部３２２、３３２とが当接した状態で保持される結果、最小レンズ間隔が維持される。
【００４２】
続く領域Ｓ３３では、第二のカム溝３４２の溝幅が狭くなり、第二のカムピン１３１と第二のカム溝３４２とは係合を開始し、第一のレンズ群と第二のレンズ群の間隔が弾性部材３５０に抗して広げられる。第一のレンズ群と第二のレンズ群の間隔が所定の間隔以上になると弾性部材３５０の付勢方向が逆転し、第一のレンズ群と第二のレンズ群とを離れさせる方向に作用する。
【００４３】
弾性部材３５０の付勢方向が逆転した後の領域Ｓ３２では、第二のカム溝３４２の溝幅が再び広がる。即ち、第二のカム溝３４２は第二のカムピン１３１よりも幅が広く設定されており、第二のカムピン１３１と第二のカム溝３４２との係合がなくなる。これによって、この領域Ｓ３２では、第一のカムピン１２１と第一のカム溝１４１との係合関係により第一のレンズホルダ１２０のみが駆動可能であり、第二のレンズホルダ１３０は第一のレンズホルダ１２０と一体となって光軸方向に移動可能になる。このとき、第一のレンズホルダ１２０と第二のレンズホルダ１３０とは、図１３に示すように、引っ掛け部３２３、３３３とが当接した状態で保持される結果、最大レンズ間隔が維持される。なお、領域Ｓ３３は撮影を許可しない領域である。
【００４４】
このように本実施の形態では、第一のレンズ群と第二のレンズ群が弾性部材３５０のバネ付勢力により一体で駆動される領域Ｓ３１，Ｓ３２は、カム溝（第二のカム溝３４２）の溝幅を単に広げておけばよい領域として設定することが可能になる。これにより、カム溝の精度が必要な領域を減らすことが可能となり、型作製の費用を安くすることができる。
【図面の簡単な説明】
【００４５】
【図１】本発明の第一の実施の形態に係る撮像装置の要部構造を示す斜視図である。
【図２】図１に示した第一のレンズホルダと第二のレンズホルダとの関係を示す分解斜視図である。
【図３】第二の鏡筒内壁に設けられたカム溝の展開図である。
【図４】図１に示した第一のレンズホルダと第二のレンズホルダとの関係を示す側面図である。
【図５】本発明の第二の実施の形態に係る撮像装置の全体構造を示す斜視図である。
【図６】図５中の第一のレンズホルダと第二のレンズホルダとの関係を示す分解斜視図である。
【図７】第二の実施の形態に係る第二の鏡筒の内壁に設けられたカム溝の展開図である。
【図８】第二の実施の形態に係る第一のレンズホルダと第二のレンズホルダとの関係を示す側面図である。
【図９】本発明の第二の実施の形態に係る撮像装置の全体構造を示す斜視図である。
【図１０】図９中の第一のレンズホルダと第二のレンズホルダとの関係を示す分解斜視図である。
【図１１】第三の実施の形態に係る第二の鏡筒内壁に設けられたカム溝の展開図である。
【図１２】第三の実施の形態に係る最小レンズ間隔時における第一のレンズホルダと第二のレンズホルダとの関係を示す側面図である。
【図１３】最大レンズ間隔時における第一のレンズホルダと第二のレンズホルダとの関係を示す側面図である。
【符号の説明】
【００４６】
１１０  第一の鏡筒
１２０  第一のレンズホルダ
１２１  第一のカムピン
１２２、１３２  突き当て部
１３０  第二のレンズホルダ
１３１  第二のカムピン
１４０  第二の鏡筒
１４１  第一のカム溝
１４２  第二のカム溝
１５０，２５０  弾性部材
２２２，２３２  引っ掛け部
【図１】
2006078563.tif 000003
【図２】
2006078563.tif 000004
【図３】
2006078563.tif 000005
【図４】
2006078563.tif 000006
【図５】
2006078563.tif 000007
【図６】
2006078563.tif 000008
【図７】
2006078563.tif 000009
【図８】
2006078563.tif 000010
【図９】
2006078563.tif 000011
【図１０】
2006078563.tif 000012
【図１１】
2006078563.tif 000013
【図１２】
2006078563.tif 000014
【図１３】
2006078563.tif 000015